(57)【要約】【課題】限られた敷地を目一杯有効に活用可能にするとともに、出入用建具70の設置位置選択の自由度を高めて、顧客の多様なニーズに応えられるようにする。【解決手段】ログハウス10は、丸太組構法によって形成される外壁であるログ外壁20と、ログ外壁20の所定位置に設けられた出入用開口部40と、ログ外壁20よりも室内側であって出入用開口部40に連通する位置に設けられた引込部50と、引込部50と室内とを仕切る外壁である引込外壁60と、引込外壁60の所定位置に設けられる出入用建具70とを備える。【選択図】図１
2008291518.tif 000002
【特許請求の範囲】
【請求項１】
丸太組構法によって形成される外壁であるログ外壁と、
ログ外壁の所定位置に設けられた出入用開口部と、
ログ外壁よりも室内側であって出入用開口部に連通する位置に設けられた引込部と、
引込部と室内とを仕切る外壁である引込外壁と、
引込外壁の所定位置に設けられる出入用建具とを備えたことを特徴とするログハウス。
【請求項２】
丸太組構法によって形成される外壁であって妻側に位置する部分であるログ外壁としてのログ妻側外壁と、
丸太組構法によって形成される外壁であって桁側に位置する部分であるログ外壁としてのログ桁側外壁と、
棟からログ桁側外壁へ向かうに従って高さが次第に低くなるように一定の勾配で傾斜しておりログ桁側外壁によって支持されている屋根と、
ログ桁側外壁の所定位置に設けられた出入用開口部と、
ログ桁側外壁よりも室内側であって出入用開口部に連通する位置に設けられた引込部と、
引込部と室内とを仕切る外壁である引込外壁と、
引込外壁の所定位置に設けられる出入用建具とを備えたことを特徴とするログハウス。
【請求項３】
引込外壁は、ログ桁側外壁と所定距離をあけてかつログ桁側外壁と平行に設けられる平行壁と、平行壁の一端とログ桁側外壁とを連結するものであってログ桁側外壁と直角に設けられる第１袖壁と、平行壁の他端とログ桁側外壁とを連結するものであってログ桁側外壁と直角に設けられる第２袖壁とを備え、
出入用建具は、外開き戸であって、平行壁に設けられ、
軒先を地面に投影した線を軒先線とし、
軒先線とログ桁側外壁の外面との間の距離をＡとし、
ログ桁側外壁の外面と平行壁の外面との間の距離をＢとし、
外開き戸の幅をＷとし、
Ａ＋Ｂ＞Ｗ  を満たすように形成されていることを特徴とする請求項２記載のログハウス。
【発明の詳細な説明】
【技術分野】
【０００１】
本発明は、ログハウスに関し、さらに詳しくは、限られた敷地を目一杯有効に活用できるとともに、出入用建具の設置位置選択の自由度を高めて、顧客の多様なニーズに応えられるようにしたログハウスに関する。
【背景技術】
【０００２】
ログハウス10では、丸太組構法で、すなわち、丸太あるいは角材を水平に積み上げていくことで、ログ外壁20が構築される。
また、ログハウス10では、ログ外壁20に凹部や凸部を設けるのが容易ではないため、平面視矩形とされるのが一般的である。
また、ログハウス10では、ログ外壁20のいずれかの位置に開口部を設けて、そこに出入用建具70を設けるのが一般的である。
ここで、ログ外壁20に開口部を設け、そこに出入用建具70を設け、さらに出入用建具70の室外側に玄関ポーチ84および玄関ステップ85を設けようとすると、玄関ポーチ84および玄関ステップ85は、ログ外壁20よりも室外側にまるまる飛び出すことになる。このため、玄関ポーチ84および玄関ステップ85がログ外壁20よりも室外側に飛び出す分を考慮して、ログ外壁20の位置を決定しなければならなかった。すなわち、図８および図９に示すように、玄関ポーチ84および玄関ステップ85の長さの分だけログ外壁20の位置を駐車スペース90や敷地の境界線95から後退させなければならなかった。したがって、駐車スペース90や敷地の境界線95とログ外壁20との間に余計なスペースができることとなり、限られた敷地に目一杯にログハウス10を建てることができなかった。つまり、限られた敷地を目一杯有効に活用できなかった。また、ログ外壁20を後退させると、その分、室内の居住空間が狭くなってしまうか、あるいは室内の居住空間を狭くしないのであれば、ログハウス10全体を敷地に対してずらさなければならず、そうすると、図８の例では、南側の庭が狭くなってしまい、日当たりが悪くなってしまう。
【０００３】
またここで、小屋裏を利用した２階部分を有するとともに１階部分のログ外壁20が小屋裏の荷重を直接負担するログハウス10では、２階部分の居住性を考慮すると、屋根30の勾配が８／１０から１０／１０にもなる。このようなログハウス10において、ログ外壁20のうち桁側に位置する部分に出入用建具70としての外開き戸71を設けるとともに、外開き戸71よりも室外側に雨に濡れないようにするためのポーチ部分を確保しようとすると、図１０および図１１に示すように、単に屋根30の勾配を一定に保ったまま軒先32を延ばしたのでは、外開き戸71を開くと屋根30に当たってしまう。
外開き戸71と屋根30とが干渉しないようにするために、ログ外壁20の高さを高くすることもできるが、建築コストが高くなるのみならず、ログハウス10告示基準（国土交通省告示第四百十一号）における、「４ｍ以下」という、ログ外壁20の高さ制限や、「幅が（高さ×０．３）以上」という、ログ外壁20において耐力壁として認められるための条件などがあり、決して容易ではない。
【０００４】
また、外開き戸71と屋根30とが干渉しないようにするために、屋根30の勾配を途中で緩やかにして折れ屋根とすることもできるが、建築コストが高くのみならず、見栄えが悪くなってしまうこともある。
【特許文献１】特開２００４−２１１４１７号公報
【特許文献２】特開平８−４９３２１号公報
【発明の開示】
【発明が解決しようとする課題】
【０００５】
上述したように、従来のログハウスでは、ログ外壁に開口部を設け、そこに出入用建具を設け、さらに出入用建具の室外側に玄関ステップを設けようとすると、限られた敷地を目一杯有効に活用できなくなってしまうという問題があった。
また、上述したように、小屋裏を利用した２階部分を有するとともに１階部分のログ外壁が小屋裏の荷重を直接負担するログハウスでは、ログ外壁のうち桁側に位置する部分に出入用建具としての外開き戸を設けるとともに、外開き戸よりも室外側に雨に濡れないようにするためのポーチ部分を確保しようとすると、単に屋根の勾配を一定に保ったまま軒先を延ばしたのでは、外開き戸を開くと屋根に当たってしまい、また、ログ外壁の高さを高くすることは、ログハウス告示基準（国土交通省告示第四百十一号）における制限や条件のために決して容易ではなく、また、屋根の勾配を途中で緩やかにして折れ屋根としたのでは、見栄えが悪くなってしまうという問題があった。
【０００６】
そこで、本発明は、限られた敷地を目一杯有効に活用できるとともに、出入用建具の設置位置選択の自由度を高めて、顧客の多様なニーズに応えられるようにしたログハウスを提供することを目的とする。
【課題を解決するための手段】
【０００７】
（請求項１）
請求項１記載の発明は、ログハウス10に係るものであって、丸太組構法によって形成される外壁であるログ外壁20と、ログ外壁20の所定位置に設けられた出入用開口部40と、ログ外壁20よりも室内側であって出入用開口部40に連通する位置に設けられた引込部50と、引込部50と室内とを仕切る外壁である引込外壁60と、引込外壁60の所定位置に設けられる出入用建具70とを備えたことを特徴とする。
ここで、「丸太組構法」とは、丸太、製材その他これに類する木材を水平に積み上げることにより壁を設ける工法をいう（ログハウス告示基準（国土交通省告示第四百十一号））。
【０００８】
また、「ログ外壁20」とは、丸太組構法によって形成される外壁をいう。つまり、丸太、製材その他これに類する木材を水平に積み上げることによって形成される外壁をいう。
また、「出入用開口部40」とは、人間がログハウス10に出入りするために設けられる開口部であって、ログ外壁20の所定位置に設けられる。また、出入用開口部40は、ログ外壁20のうち、妻側に位置する部分に設けてもよく、また、桁側に位置する部分に設けてもよい。
また、「引込部50」とは、ログ外壁20よりも室内側であって出入用開口部40に連通する位置に設けられる部分をいう。ログ外壁20の室外側から出入用開口部40を通り抜けると、まず引込部50に至る。
【０００９】
また、「引込外壁60」とは、引込部50と室内とを仕切る外壁をいう。また、引込外壁60は、丸太組構法によって形成してもよく、また、丸太組構法にはよらずに形成してもよい。つまり、引込外壁60は、丸太、製材その他これに類する木材を水平に積み上げることによって形成してもよく、また、軸組み材や面材などを用いて形成してもよい。
また、「出入用建具70」とは、外開き戸71、内開き戸、引き戸などを含む出入り用の建具の総称であって、引込外壁60の所定位置に設けられる。具体的には、例えば、引込外壁60の所定位置に開口部を設け、そこに出入用建具70を設けることができる。またここで、例えば、引込外壁60が、ログ外壁20と所定距離をあけてかつログ外壁20と平行に設けられる平行壁61と、平行壁61の一端とログ外壁20とを連結するものであってログ外壁20と直角に設けられる第１袖壁62と、平行壁61の他端とログ外壁20とを連結するものであってログ外壁20と直角に設けられる第２袖壁63とを備える場合にあっては、出入用建具70は、平行壁61に設けてもよく、また、第１袖壁62に設けてもよく、また、第２袖壁63に設けてもよい。
【００１０】
このように、本発明によれば、ログ外壁20の所定位置に出入用開口部40を設け、また、出入用開口部40よりも室内側であって出入用開口部40に連通する位置に引込部50を設け、さらに、引込部50と室内とを仕切る引込外壁60を設け、そして、引込外壁60の所定位置に出入用建具70を設けたことから、ログハウス10においていわゆる「引き込み玄関」を比較的容易に実現できる。
そして、ログハウス10において引き込み玄関を実現することで、玄関ポーチ84および玄関ステップ85の一部または全部を、ログ外壁20よりも室内側に位置させることができる。そうすると、玄関ポーチ84および玄関ステップ85のログ外壁20よりも室外側への飛び出しを少なくすることができ、そして、玄関ポーチ84および玄関ステップ85の飛び出しを少なくすることができた分だけ、ログ外壁20の位置を駐車スペース90や敷地の境界線95の方へ寄せることが可能となる。したがって、室内の居住空間を広くすることが可能となるし、また、駐車スペース90や敷地の境界線95とログ外壁20との間の余計なスペースを小さくすることも可能となる。つまり、限られた敷地に目一杯にログハウス10を建てるなど、限られた敷地を目一杯有効に活用できる。
【００１１】
また、ログハウス10において引き込み玄関を実現することで、屋根30の軒先32を延ばすことなく、出入用建具70よりも室外側に、雨に濡れないようにするためのポーチ部分を確保することができる。さらに、ログ外壁20のうち桁側に位置する部分に、出入用建具70としての外開き戸71を設けるとともに、外開き戸71よりも室外側に、雨に濡れないようにするためのポーチ部分を確保したとしても、ログ外壁20の高さを高くするまでもなく、また、屋根30の勾配を途中で緩やかにして折れ屋根とするまでもなく、外開き戸71と屋根30とが干渉しないようにすることができる。
また、ログハウス10において引き込み玄関を実現することで、室内または室外にアルコーブ部分が形成されるので、そこを靴箱などの収納を設けるためのスペースとすることができる。
【００１２】
また、ログハウス10において引き込み玄関を実現することで、出入用開口部40を設ける位置を、ログ外壁20のうち、妻側に位置する部分から桁側に位置する部分へ、逆に、桁側に位置する部分から妻側に位置する部分へ、容易に変更できる。つまり、出入用建具70の設置位置選択の自由度が高められ、顧客の多様なニーズに応えることができる。
（請求項２）
請求項２記載の発明は、ログハウス10に係るものであって、丸太組構法によって形成される外壁であって妻側に位置する部分であるログ外壁20としてのログ妻側外壁21と、丸太組構法によって形成される外壁であって桁側に位置する部分であるログ外壁20としてのログ桁側外壁22と、棟31からログ桁側外壁22へ向かうに従って高さが次第に低くなるように一定の勾配で傾斜しておりログ桁側外壁22によって支持されている屋根30と、ログ桁側外壁22の所定位置に設けられた出入用開口部40と、ログ桁側外壁22よりも室内側であって出入用開口部40に連通する位置に設けられた引込部50と、引込部50と室内とを仕切る外壁である引込外壁60と、引込外壁60の所定位置に設けられる出入用建具70とを備えたことを特徴とする。
【００１３】
ここで、「ログ妻側外壁21」とは、丸太組構法によって形成される外壁であって妻側に位置する部分をいう。つまり、ログ妻側外壁21とは、ログ外壁20のうち、妻側に位置する部分をいう。
また、「ログ桁側外壁22」とは、丸太組構法によって形成される外壁であって桁側に位置する部分をいう。つまり、ログ桁側外壁22とは、ログ外壁20のうち、桁側に位置する部分をいう。
また、「屋根30」は、棟31からログ桁側外壁22へ向かうに従って高さが次第に低くなるように一定の勾配で傾斜しており、ログ桁側外壁22によって支持されている。例えば、小屋裏を利用した２階部分を有するとともに、１階部分のログ外壁20が小屋裏の荷重を直接負担するログハウス10では、２階部分の居住性を考慮すると、屋根30の勾配は、８／１０から１０／１０、あるいは１０／１０以上にもなる。また、屋根30の桁側の縁を「軒先32」といい、また、屋根30の妻側の縁を「けらば34」という。なお、小屋裏とは、屋根30と１階の天井との間にできる空間を意味するものである。
【００１４】
また、「出入用開口部40」とは、人間がログハウス10に出入りするために設けられる開口部であって、本発明では、ログ桁側外壁22の所定位置に設けられる。
また、「引込部50」とは、ログ桁側外壁22よりも室内側であって出入用開口部40に連通する位置に設けられる部分をいう。ログ桁側外壁22の室外側から出入用開口部40を通り抜けると、まず引込部50に至る。
また、「引込外壁60」が引込部50と室内とを仕切る外壁であることは、請求項１記載の発明と同様である。
また、「出入用建具70」とは、外開き戸71、内開き戸、引き戸などを含む出入り用の建具の総称であって、引込外壁60の所定位置に設けられる。具体的には、例えば、引込外壁60の所定位置に開口部を設け、そこに出入用建具70を設けることができる。またここで、例えば、引込外壁60が、ログ桁側外壁22と所定距離をあけてかつログ桁側外壁22と平行に設けられる平行壁61と、平行壁61の一端とログ桁側外壁22とを連結するものであってログ桁側外壁22と直角に設けられる第１袖壁62と、平行壁61の他端とログ桁側外壁22とを連結するものであってログ桁側外壁22と直角に設けられる第２袖壁63とを備える場合にあっては、出入用建具70は、平行壁61に設けてもよく、また、第１袖壁62に設けてもよく、また、第２袖壁63に設けてもよい。
【００１５】
このように、本発明によれば、ログ桁側外壁22の所定位置に出入用開口部40を設け、また、出入用開口部40よりも室内側であって出入用開口部40に連通する位置に引込部50を設け、さらに、引込部50と室内とを仕切る引込外壁60を設け、そして、引込外壁60の所定位置に出入用建具70を設けたことから、ログハウス10の桁側においていわゆる「引き込み玄関」を比較的容易に実現できる。
そして、ログハウス10の桁側において引き込み玄関を実現することで、玄関ポーチ84および玄関ステップ85の一部または全部を、ログ桁側外壁22よりも室内側に位置させることができる。そうすると、玄関ポーチ84および玄関ステップ85のログ桁側外壁22よりも室外側への飛び出しを少なくすることができ、そして、玄関ポーチ84および玄関ステップ85の飛び出しを少なくすることができた分だけ、ログ桁側外壁22の位置を駐車スペース90や敷地の境界線95の方へ寄せることが可能となる。したがって、室内の居住空間を広くすることが可能となるし、また、駐車スペース90や敷地の境界線95とログ桁側外壁22との間の余計なスペースを小さくすることも可能となる。つまり、限られた敷地に目一杯にログハウス10を建てるなど、限られた敷地を目一杯有効に活用できる。
【００１６】
また、ログハウス10の桁側において引き込み玄関を実現することで、屋根30の軒先32を延ばすことなく、出入用建具70よりも室外側に、雨に濡れないようにするためのポーチ部分を確保することができる。さらに、出入用建具70としての外開き戸71を設けるとともに、外開き戸71よりも室外側に、雨に濡れないようにするためのポーチ部分を確保したとしても、ログ桁側外壁22の高さを高くするまでもなく、また、屋根30の勾配を途中で緩やかにして折れ屋根とするまでもなく、外開き戸71と屋根30とが干渉しないようにすることができる。
また、ログハウス10の桁側において引き込み玄関を実現することで、室内または室外にアルコーブ部分が形成されるので、そこを靴箱などの収納を設けるためのスペースとすることができる。
【００１７】
（請求項３）
請求項３記載の発明は、請求項２記載のログハウス10を限定したものであって、引込外壁60は、ログ桁側外壁22と所定距離をあけてかつログ桁側外壁22と平行に設けられる平行壁61と、平行壁61の一端とログ桁側外壁22とを連結するものであってログ桁側外壁22と直角に設けられる第１袖壁62と、平行壁61の他端とログ桁側外壁22とを連結するものであってログ桁側外壁22と直角に設けられる第２袖壁63とを備え、出入用建具70は、外開き戸71であって、平行壁61に設けられ、軒先32を地面に投影した線を軒先線33とし、軒先線33とログ桁側外壁22の外面との間の距離をＡとし、ログ桁側外壁22の外面と平行壁61の外面との間の距離をＢとし、外開き戸71の幅をＷとし、Ａ＋Ｂ＞Ｗ  を満たすように形成されていることを特徴とする。
【００１８】
ここで、「平行壁61」とは、引込外壁60のうち、ログ桁側外壁22と所定距離をあけてかつログ桁側外壁22と平行に設けられる部分をいう。
また、「第１袖壁62」とは、引込外壁60のうち、平行壁61の一端とログ桁側外壁22とを連結するものであってログ桁側外壁22と直角に設けられる部分をいう。
また、「第２袖壁63」とは、引込外壁60のうち、平行壁61の他端とログ桁側外壁22とを連結するものであってログ桁側外壁22と直角に設けられる部分をいう。
また、本発明では、出入用建具70は、外開き戸71とされ、平行壁61に設けられる。
また、「軒先線33」とは、軒先32を地面に投影した線をいう。
【００１９】
また、「Ａ」は、軒先線33とログ桁側外壁22の外面との間の距離を意味する。
また、「Ｂ」は、ログ桁側外壁22の外面と平行壁61の外面との間の距離を意味する。
また、「Ｗ」は、外開き戸71の幅を意味する。
そして、本発明では、「Ａ＋Ｂ＞Ｗ」を満たすように形成されている。つまり、本発明は、平行壁61の外面から軒先線33までの距離が、外開き戸71の幅よりも大きくなるように、ログ桁側外壁22の外面と平行壁61の外面との間の距離Ｂを設定したものである。さらに換言すれば、本発明は、平行壁61の外面から軒先線33までの距離が、外開き戸71の幅よりも大きくなるように、ログ桁側外壁22の外面から室内側へ平行壁61の外面を引き込んだものである。
【００２０】
本発明によれば、外開き戸71を全開にした際においても、外開き戸71の先端が軒先線33よりも室内側に位置することから、外開き戸71が雨に濡れにくいので、外開き戸71の劣化防止を図ることができるのである。
【発明の効果】
【００２１】
本発明によれば、限られた敷地を目一杯有効に活用できるとともに、出入用建具の設置位置選択の自由度が高められるので、顧客の多様なニーズに応えられるログハウスを提供できる。
【発明を実施するための最良の形態】
【００２２】
（第１の実施の形態）
図１ないし図３は、本発明の第１の実施の形態を示すものである。
図１は、第１の実施の形態に係るログハウス10の１階の平面図、図２は、第１の実施の形態に係るログハウス10の妻側の立面図および断面図であって、立面を破線で、断面と全開状態の外開き戸71とを実線で、それぞれ表わしたもの、図３は、第１の実施の形態に係るログハウス10の桁側の立面図である。
（ログハウス10）
図１ないし図３に示すように、第１の実施の形態に係るログハウス10は、丸太組構法によって形成される外壁であるログ外壁20と、ログ外壁20によって支持されている屋根30と、ログ外壁20の所定位置に設けられた出入用開口部40と、ログ外壁20よりも室内側であって出入用開口部40に連通する位置に設けられた引込部50と、引込部50と室内とを仕切る外壁である引込外壁60と、引込外壁60の所定位置に設けられる出入用建具70とを備えている。
【００２３】
また、図２および図３に示すように、本実施の形態では、ログハウス10は、小屋裏を利用した２階部分を有するとともに、１階部分のログ外壁20が小屋裏の荷重を直接負担するようになっている。なお、小屋裏とは、屋根30と１階の天井との間にできる空間を意味するものである。
（ログ外壁20）
ログ外壁20は、丸太組構法によって形成される外壁である。
また、丸太組構法とは、丸太、製材その他これに類する木材（以下「丸太材等」という。）を水平に積み上げることにより壁を設ける工法をいう（ログハウス告示基準（国土交通省告示第四百十一号）。
【００２４】
また、図１に示すように、本実施の形態では、１階部分のログ外壁20は、平面視ほぼ矩形とされている。
また、図１に示すように、本実施の形態では、１階部分のログ外壁20は、井桁状に組まれている。
また、図１に示すように、本実施の形態では、１階部分のログ外壁20は、ログ妻側外壁21と、ログ桁側外壁22とを備えている。また、ログ妻側外壁21とは、ログ外壁20のうち、妻側に位置する部分をいう。また、ログ桁側外壁22とは、ログ外壁20のうち、桁側に位置する部分をいう。
【００２５】
また、図２に示すように、本実施の形態では、１階部分のログ桁側外壁22は、２階部分の床の高さとほぼ一致する位置まで、丸太材等を水平に積み上げることによって形成されている。
また、図２に示すように、本実施の形態では、１階部分のログ妻側外壁21も、１階部分のログ桁側外壁22と同様に、２階部分の床の高さとほぼ一致する位置まで、丸太材等を水平に積み上げることによって形成されている。
また、図２に示すように、本実施の形態では、２階部分の妻側の外壁は、矢切壁23であって、１階部分のログ妻側外壁21の上に連続して設けられており、枠組壁工法（ツーバイフォー工法）によって形成されている。なお、矢切壁23とは、切妻屋根の建物の妻側の外壁であって、屋根30と梁とに囲まれた三角形の部分を意味するものである。
【００２６】
また、図１に示すように、本実施の形態では、１階部分の南側のログ桁側外壁22には、１つの出入用開口部40と、２つの窓用開口部45とが設けられている。また、各窓用開口部45には、それぞれ、引き違い窓75が嵌め込まれるようにして設けられている。また、１階部分の南側のログ桁側外壁22の室外側には、デッキ80が設けられ、また、デッキ80における、出入用開口部40に対応する位置は、玄関ポーチ84とされ、そして、玄関ポーチ84に対応する位置には、玄関ステップ85が設けられている。
また、図１に示すように、本実施の形態では、１階部分の北側のログ桁側外壁22には、２つの窓用開口部45が設けられている。また、各窓用開口部45には、それぞれ、外開き窓76が嵌め込まれるようにして設けられている。
【００２７】
また、図１に示すように、本実施の形態では、１階部分の東側のログ妻側外壁21には、３つの窓用開口部45が設けられている。また、各窓用開口部45には、それぞれ、外開き窓76が嵌め込まれるようにして設けられている。
また、図１に示すように、本実施の形態では、１階部分の西側のログ妻側外壁21には、２つの窓用開口部45が設けられている。また、各窓用開口部45には、それぞれ、外開き窓76が嵌め込まれるようにして設けられている。
（屋根30）
図２および図３に示すように、本実施の形態では、屋根30は、棟31からログ桁側外壁22へ向かうに従って高さが次第に低くなるように一定の勾配で傾斜している。つまり、屋根30は、勾配が途中で変化するものではない。
【００２８】
また、屋根30の桁側の縁を「軒先32」といい、また、屋根30の妻側の縁を「けらば34」という。
また、本実施の形態では、屋根30は、１階部分の南側および北側の両ログ桁側外壁22によって、荷重を直接支持されている。
また、図２および図３に示すように、本実施の形態では、屋根30と１階の天井との間にできる空間、すなわち、小屋裏を利用して、２階部分が設けられている。
また、本実施の形態では、１階部分のログ桁側外壁22が２階部分の床の高さとほぼ一致する位置までとなっており、屋根30が１階部分のログ桁側外壁22によって荷重を直接支持される構造となっているため、２階部分の居住性を考慮して、屋根30の勾配は、８／１０から１０／１０、あるいは１０／１０以上とされている。
【００２９】
（出入用開口部40）
出入用開口部40は、人間がログハウス10に出入りするために設けられる開口部であって、ログ外壁20の所定位置に設けられるものである。
図１ないし図３に示すように、本実施の形態では、出入用開口部40は、１階部分の南側のログ桁側外壁22に設けられている。
（引込部50）
引込部50は、ログ外壁20よりも室内側であって出入用開口部40に連通する位置に設けられる部分である。
【００３０】
図１に示すように、本実施の形態では、引込部50は、１階部分の南側のログ桁側外壁22よりも室内側であって出入用開口部40に連通する位置に設けられている。そして、１階部分の南側のログ桁側外壁22の室外側から出入用開口部40を通り抜けると、まず引込部50に至るようになっている。
（引込外壁60）
引込外壁60は、引込部50と室内とを仕切る外壁をいう。
図１に示すように、本実施の形態では、引込外壁60は、平行壁61と、第１袖壁62と、第２袖壁63とを備えている。
【００３１】
また、図１に示すように、本実施の形態では、平行壁61は、１階部分の南側のログ桁側外壁22と所定距離をあけて、かつ、１階部分の南側のログ桁側外壁22と平行に設けられている。
また、図１に示すように、本実施の形態では、第１袖壁62は、平行壁61の一端（東側の端）と１階部分の南側のログ桁側外壁22とを連結しており、１階部分の南側のログ桁側外壁22と直角に設けられている。
また、図１に示すように、本実施の形態では、第２袖壁63は、平行壁61の他端（西側の端）と１階部分の南側のログ桁側外壁22とを連結しており、１階部分の南側のログ桁側外壁22と直角に設けられている。
【００３２】
また、本実施の形態では、引込外壁60は、軸組み材や面材を用いて形成されている。
（出入用建具70）
出入用建具70は、引込外壁60の所定位置に設けられるものである。
図１に示すように、本実施の形態では、出入用建具70は、外開き戸71とされている。
また、図１ないし図３に示すように、本実施の形態では、出入用建具70は、平行壁61に設けられている。より具体的には、本実施の形態では、平行壁61に開口部が設けられ、そこに出入用建具70が嵌め込まれるようにして設けられている。
またここで、図１に示すように、軒先32を地面に投影した線を「軒先線33」とし、また、軒先線33とログ桁側外壁22の外面との間の距離を「Ａ」とし、また、ログ桁側外壁22の外面と平行壁61の外面との間の距離を「Ｂ」とし、また、外開き戸71の幅を「Ｗ」とすると、本実施の形態では、「Ａ＋Ｂ＞Ｗ」を満たすように形成されている。
【００３３】
つまり、本実施の形態では、平行壁61の外面から軒先線33までの距離が、外開き戸71の幅よりも大きくなるように、ログ桁側外壁22の外面と平行壁61の外面との間の距離「Ｂ」が設定されている。換言すれば、本実施の形態では、平行壁61の外面から軒先線33までの距離が、外開き戸71の幅よりも大きくなるように、１階部分の南側のログ桁側外壁22の外面から室内側へ、平行壁61の外面が引き込まれている。
（作用・効果）
以上説明したように、本実施の形態では、ログ外壁20の所定位置に出入用開口部40を設け、また、出入用開口部40よりも室内側であって出入用開口部40に連通する位置に引込部50を設け、さらに、引込部50と室内とを仕切る引込外壁60を設け、そして、引込外壁60の所定位置に出入用建具70を設けており、ログハウス10において、いわゆる「引き込み玄関」を、比較的容易に実現している。
【００３４】
また、本実施の形態では、ログハウス10において引き込み玄関を実現することで、屋根30の軒先32を延ばすことなく、出入用建具70よりも室外側に、雨に濡れないようにするためのポーチ部分を確保している。さらに、ログ外壁20のうち桁側に位置する部分に、出入用建具70としての外開き戸71を設けるとともに、外開き戸71よりも室外側に、雨に濡れないようにするためのポーチ部分を確保したとしても、ログ外壁20の高さを高くするまでもなく、また、屋根30の勾配を途中で緩やかにして折れ屋根とするまでもなく、外開き戸71と屋根30とが干渉しないようになっている。
また、本実施の形態では、ログハウス10において引き込み玄関を実現することで、室内または室外にアルコーブ部分が形成されるので、そこを靴箱などの収納を設けるためのスペースとすることができる。
【００３５】
また、本実施の形態では、「Ａ＋Ｂ＞Ｗ」を満たすようにしてあることで、外開き戸71を全開にした際においても、外開き戸71の先端が軒先線33よりも室内側に位置することから、外開き戸71が雨に濡れにくいので、外開き戸71が劣化しにくいのである。
（第２の実施の形態）
図４および図５は、本発明の第２の実施の形態を示すものである。
図４は、第２の実施の形態に係るログハウス10の１階の平面図、図５は、第２の実施の形態に係るログハウス10の桁側の立面図である。
（ログハウス10）
図４および図５に示すように、第２の実施の形態に係るログハウス10は、第１の実施の形態に係るログハウス10とは、玄関の位置と間取りとが異なるものである。
【００３６】
第２の実施の形態に係るログハウス10も、第１の実施の形態に係るログハウス10と同様に、丸太組構法によって形成される外壁であるログ外壁20と、ログ外壁20によって支持されている屋根30と、ログ外壁20の所定位置に設けられた出入用開口部40と、ログ外壁20よりも室内側であって出入用開口部40に連通する位置に設けられた引込部50と、引込部50と室内とを仕切る外壁である引込外壁60と、引込外壁60の所定位置に設けられる出入用建具70とを備えている。
また、図５に示すように、第２の実施の形態に係るログハウス10も、第１の実施の形態に係るログハウス10と同様に、小屋裏を利用した２階部分を有するとともに、１階部分のログ外壁20が小屋裏の荷重を直接負担するようになっている。
【００３７】
（ログ外壁20）
図４に示すように、本実施の形態では、１階部分のログ外壁20は、平面視ほぼ矩形とされている。
また、図４に示すように、本実施の形態では、１階部分のログ外壁20は、井桁状に組まれている。
また、図４に示すように、本実施の形態では、１階部分のログ外壁20は、ログ妻側外壁21と、ログ桁側外壁22とを備えている。
また、本実施の形態では、１階部分のログ桁側外壁22は、２階部分の床の高さとほぼ一致する位置まで、丸太材等を水平に積み上げることによって形成されている。
【００３８】
また、本実施の形態では、１階部分のログ妻側外壁21も、１階部分のログ桁側外壁22と同様に、２階部分の床の高さとほぼ一致する位置まで、丸太材等を水平に積み上げることによって形成されている。
また、本実施の形態では、２階部分の妻側の外壁は、矢切壁23であって、１階部分のログ妻側外壁21の上に連続して設けられており、枠組壁工法（ツーバイフォー工法）によって形成されている。
また、図４に示すように、本実施の形態では、１階部分の南側のログ桁側外壁22には、３つの窓用開口部45が設けられている。また、各窓用開口部45には、それぞれ、引き違い窓75が嵌め込まれるようにして設けられている。また、１階部分の南側のログ桁側外壁22の室外側には、デッキ80が設けられている。
【００３９】
また、図４に示すように、本実施の形態では、１階部分の北側のログ桁側外壁22には、１つの出入用開口部40と、２つの窓用開口部45とが設けられている。また、各窓用開口部45には、それぞれ、外開き窓76が嵌め込まれるようにして設けられている。また、１階部分の北側のログ桁側外壁22の室外側であって、出入用開口部40に対応する位置には、玄関ポーチ84および玄関ステップ85が設けられている。
また、図４に示すように、本実施の形態では、１階部分の東側のログ妻側外壁21には、３つの窓用開口部45が設けられている。また、各窓用開口部45には、それぞれ、外開き窓76が嵌め込まれるようにして設けられている。
【００４０】
また、図４に示すように、本実施の形態では、１階部分の西側のログ妻側外壁21には、１つの窓用開口部45が設けられている。また、窓用開口部45には、引き違い窓75が嵌め込まれるようにして設けられている。
（屋根30）
本実施の形態では、屋根30は、棟31からログ桁側外壁22へ向かうに従って高さが次第に低くなるように一定の勾配で傾斜している。
また、屋根30の桁側の縁を「軒先32」といい、また、屋根30の妻側の縁を「けらば34」という。
【００４１】
また、本実施の形態では、屋根30は、１階部分の南側および北側の両ログ桁側外壁22によって、荷重を直接支持されている。
また、図５に示すように、本実施の形態では、屋根30と１階の天井との間にできる空間、すなわち、小屋裏を利用して、２階部分が設けられている。
また、本実施の形態では、１階部分のログ桁側外壁22が２階部分の床の高さとほぼ一致する位置までとなっており、屋根30が１階部分のログ桁側外壁22によって荷重を直接支持される構造となっているため、２階部分の居住性を考慮して、屋根30の勾配は、８／１０から１０／１０、あるいは１０／１０以上とされている。
【００４２】
（出入用開口部40）
図４および図５に示すように、本実施の形態では、出入用開口部40は、１階部分の北側のログ桁側外壁22に設けられている。
（引込部50）
図４に示すように、本実施の形態では、引込部50は、１階部分の北側のログ桁側外壁22よりも室内側であって出入用開口部40に連通する位置に設けられている。そして、１階部分の北側のログ桁側外壁22の室外側から出入用開口部40を通り抜けると、まず引込部50に至るようになっている。
【００４３】
（引込外壁60）
図４に示すように、本実施の形態では、引込外壁60は、平行壁61と、第１袖壁62と、第２袖壁63とを備えている。
また、図４に示すように、本実施の形態では、平行壁61は、１階部分の北側のログ桁側外壁22と所定距離をあけて、かつ、１階部分の北側のログ桁側外壁22と平行に設けられている。
また、図４に示すように、本実施の形態では、第１袖壁62は、平行壁61の一端（東側の端）と１階部分の北側のログ桁側外壁22とを連結しており、１階部分の北側のログ桁側外壁22と直角に設けられている。
【００４４】
また、図４に示すように、本実施の形態では、第２袖壁63は、平行壁61の他端（西側の端）と１階部分の北側のログ桁側外壁22とを連結しており、１階部分の北側のログ桁側外壁22と直角に設けられている。
また、本実施の形態では、引込外壁60は、軸組み材や面材を用いて形成されている。
（出入用建具70）
図４に示すように、本実施の形態では、出入用建具70は、外開き戸71とされている。
また、図４に示すように、本実施の形態では、出入用建具70は、平行壁61に設けられている。より具体的には、本実施の形態では、平行壁61に開口部が設けられ、そこに出入用建具70が嵌め込まれるようにして設けられている。
【００４５】
またここで、図４に示すように、軒先32を地面に投影した線を「軒先線33」とし、また、軒先線33とログ桁側外壁22の外面との間の距離を「Ａ」とし、また、ログ桁側外壁22の外面と平行壁61の外面との間の距離を「Ｂ」とし、また、外開き戸71の幅を「Ｗ」とすると、本実施の形態では、「Ａ＋Ｂ＞Ｗ」を満たすように形成されている。
つまり、本実施の形態では、平行壁61の外面から軒先線33までの距離が、外開き戸71の幅よりも大きくなるように、ログ桁側外壁22の外面と平行壁61の外面との間の距離「Ｂ」が設定されている。換言すれば、本実施の形態では、平行壁61の外面から軒先線33までの距離が、外開き戸71の幅よりも大きくなるように、１階部分の北側のログ桁側外壁22の外面から室内側へ、平行壁61の外面が引き込まれている。
【００４６】
（作用・効果）
以上説明したように、本実施の形態では、ログ外壁20の所定位置に出入用開口部40を設け、また、出入用開口部40よりも室内側であって出入用開口部40に連通する位置に引込部50を設け、さらに、引込部50と室内とを仕切る引込外壁60を設け、そして、引込外壁60の所定位置に出入用建具70を設けており、ログハウス10において、いわゆる「引き込み玄関」を、比較的容易に実現している。
また、本実施の形態では、ログハウス10において引き込み玄関を実現することで、玄関ポーチ84および玄関ステップ85の一部または全部を、ログ外壁20よりも室内側に位置させるようにしている。そうすると、玄関ポーチ84および玄関ステップ85のログ外壁20よりも室外側への飛び出しを少なくすることができ、そして、玄関ポーチ84および玄関ステップ85の飛び出しを少なくすることができた分だけ、ログ外壁20の位置を駐車スペース90や敷地の境界線95の方へ寄せることが可能となる。具体的には、図８に示す従来のログハウス10では、玄関ポーチ84および玄関ステップ85が、ログ外壁20よりも室外側にまるまる飛び出している。このため、玄関ポーチ84および玄関ステップ85の長さの分だけ、ログ外壁20の位置を駐車スペース90や敷地の境界線95から後退させなければならなかった。また、図８に示す従来のログハウス10は、本実施の形態に係るログハウス10と、広さや間取りがほぼ等しいものであるが、ほぼ等しい広さや間取りを確保するために、ログハウス10全体を敷地に対して南側にずらしている。このため、ログハウス10の北側に余計なスペースができるとともに、ログハウス10の南側の庭がその分狭くなっている。つまり、限られた敷地を目一杯有効に活用できていない。これに対して、本実施の形態では、玄関ポーチ84および玄関ステップ85の飛び出しを少なくすることができた分だけ、ログ外壁20の位置を駐車スペース90や敷地の境界線95の方へ寄せることが可能となり、ログハウス10の北側のスペースを極力小さくすることができるとともに、ログハウス10の南側の庭をその分広くすることができる。つまり、限られた敷地を目一杯有効に活用できる。
【００４７】
また、本実施の形態では、ログハウス10において引き込み玄関を実現することで、屋根30の軒先32を延ばすことなく、出入用建具70よりも室外側に、雨に濡れないようにするためのポーチ部分を確保している。さらに、ログ外壁20のうち桁側に位置する部分に、出入用建具70としての外開き戸71を設けるとともに、外開き戸71よりも室外側に、雨に濡れないようにするためのポーチ部分を確保したとしても、ログ外壁20の高さを高くするまでもなく、また、屋根30の勾配を途中で緩やかにして折れ屋根とするまでもなく、外開き戸71と屋根30とが干渉しないようになっている。
また、本実施の形態では、ログハウス10において引き込み玄関を実現することで、室内または室外にアルコーブ部分が形成されるので、そこを靴箱などの収納を設けるためのスペースとすることができる。
【００４８】
また、本実施の形態では、「Ａ＋Ｂ＞Ｗ」を満たすようにしてあることで、外開き戸71を全開にした際においても、外開き戸71の先端が軒先線33よりも室内側に位置することから、外開き戸71が雨に濡れにくいので、外開き戸71が劣化しにくいのである。
（第３の実施の形態）
図６および図７は、本発明の第３の実施の形態を示すものである。
図６は、第３の実施の形態に係るログハウス10の１階の平面図、図７は、第３の実施の形態に係るログハウス10の妻側の立面図である。
（ログハウス10）
図６および図７に示すように、第３の実施の形態に係るログハウス10は、第１および第２の実施の形態に係るログハウス10とは、玄関の位置と間取りとが異なるものである。
【００４９】
第３の実施の形態に係るログハウス10も、第１および第２の実施の形態に係るログハウス10と同様に、丸太組構法によって形成される外壁であるログ外壁20と、ログ外壁20によって支持されている屋根30と、ログ外壁20の所定位置に設けられた出入用開口部40と、ログ外壁20よりも室内側であって出入用開口部40に連通する位置に設けられた引込部50と、引込部50と室内とを仕切る外壁である引込外壁60と、引込外壁60の所定位置に設けられる出入用建具70とを備えている。
また、図７に示すように、第３の実施の形態に係るログハウス10も、第１および第２の実施の形態に係るログハウス10と同様に、小屋裏を利用した２階部分を有するとともに、１階部分のログ外壁20が小屋裏の荷重を直接負担するようになっている。
【００５０】
（ログ外壁20）
図６に示すように、本実施の形態では、１階部分のログ外壁20は、平面視ほぼ矩形とされている。
また、図６に示すように、本実施の形態では、１階部分のログ外壁20は、井桁状に組まれている。
また、図６に示すように、本実施の形態では、１階部分のログ外壁20は、ログ妻側外壁21と、ログ桁側外壁22とを備えている。
また、本実施の形態では、１階部分のログ桁側外壁22は、２階部分の床の高さとほぼ一致する位置まで、丸太材等を水平に積み上げることによって形成されている。
【００５１】
また、本実施の形態では、１階部分のログ妻側外壁21も、１階部分のログ桁側外壁22と同様に、２階部分の床の高さとほぼ一致する位置まで、丸太材等を水平に積み上げることによって形成されている。
また、本実施の形態では、２階部分の妻側の外壁は、矢切壁23であって、１階部分のログ妻側外壁21の上に連続して設けられており、枠組壁工法（ツーバイフォー工法）によって形成されている。
また、図６に示すように、本実施の形態では、１階部分の南側のログ桁側外壁22には、３つの窓用開口部45が設けられている。また、各窓用開口部45には、それぞれ、引き違い窓75が嵌め込まれるようにして設けられている。また、１階部分の南側のログ桁側外壁22の室外側には、デッキ80が設けられている。
【００５２】
また、図６に示すように、本実施の形態では、１階部分の北側のログ桁側外壁22には、２つの窓用開口部45が設けられている。また、各窓用開口部45には、それぞれ、外開き窓76が嵌め込まれるようにして設けられている。
また、図６に示すように、本実施の形態では、１階部分の東側のログ妻側外壁21には、１つの出入用開口部40と、２つの窓用開口部45とが設けられている。また、各窓用開口部45には、それぞれ、外開き窓76が嵌め込まれるようにして設けられている。また、１階部分の東側のログ妻側外壁21の室外側であって、出入用開口部40に対応する位置には、玄関ポーチ84および玄関ステップ85が設けられている。
【００５３】
また、図６に示すように、本実施の形態では、１階部分の西側のログ妻側外壁21には、２つの窓用開口部45が設けられている。また、各窓用開口部45には、それぞれ、外開き窓76が嵌め込まれるようにして設けられている。
（屋根30）
本実施の形態では、屋根30は、棟31からログ桁側外壁22へ向かうに従って高さが次第に低くなるように一定の勾配で傾斜している。
また、屋根30の桁側の縁を「軒先32」といい、また、屋根30の妻側の縁を「けらば34」という。
【００５４】
また、本実施の形態では、屋根30は、１階部分の南側および北側の両ログ桁側外壁22によって、荷重を直接支持されている。
また、図７に示すように、本実施の形態では、屋根30と１階の天井との間にできる空間、すなわち、小屋裏を利用して、２階部分が設けられている。
また、本実施の形態では、１階部分のログ桁側外壁22が２階部分の床の高さとほぼ一致する位置までとなっており、屋根30が１階部分のログ桁側外壁22によって荷重を直接支持される構造となっているため、２階部分の居住性を考慮して、屋根30の勾配は、８／１０から１０／１０、あるいは１０／１０以上とされている。
【００５５】
（出入用開口部40）
図６および図７に示すように、本実施の形態では、出入用開口部40は、１階部分の東側のログ妻側外壁21に設けられている。
（引込部50）
図６に示すように、本実施の形態では、引込部50は、１階部分の東側のログ妻側外壁21よりも室内側であって出入用開口部40に連通する位置に設けられている。そして、１階部分の東側のログ妻側外壁21の室外側から出入用開口部40を通り抜けると、まず引込部50に至るようになっている。
【００５６】
（引込外壁60）
図６に示すように、本実施の形態では、引込外壁60は、平行壁61と、第１袖壁62と、第２袖壁63とを備えている。
また、図６に示すように、本実施の形態では、平行壁61は、１階部分の東側のログ妻側外壁21と所定距離をあけて、かつ、１階部分の東側のログ妻側外壁21と平行に設けられている。
また、図６に示すように、本実施の形態では、第１袖壁62は、平行壁61の一端（南側の端）と１階部分の東側のログ妻側外壁21とを連結しており、１階部分の東側のログ妻側外壁21と直角に設けられている。
【００５７】
また、図６に示すように、本実施の形態では、第２袖壁63は、平行壁61の他端（北側の端）と１階部分の東側のログ妻側外壁21とを連結しており、１階部分の東側のログ妻側外壁21と直角に設けられている。
また、本実施の形態では、引込外壁60は、軸組み材や面材を用いて形成されている。
（出入用建具70）
図６に示すように、本実施の形態では、出入用建具70は、外開き戸71とされている。
また、図６に示すように、本実施の形態では、出入用建具70は、平行壁61に設けられている。より具体的には、本実施の形態では、平行壁61に開口部が設けられ、そこに出入用建具70が嵌め込まれるようにして設けられている。
【００５８】
またここで、図６に示すように、けらば34を地面に投影した線を「けらば線35」とし、また、けらば線35とログ妻側外壁21の外面との間の距離を「Ｃ」とし、また、ログ妻側外壁21の外面と平行壁61の外面との間の距離を「Ｄ」とし、また、外開き戸71の幅を「Ｗ」とすると、本実施の形態では、「Ｃ＋Ｄ＞Ｗ」を満たすように形成されている。
つまり、本実施の形態では、平行壁61の外面からけらば線35までの距離が、外開き戸71の幅よりも大きくなるように、ログ妻側外壁21の外面と平行壁61の外面との間の距離「Ｄ」が設定されている。換言すれば、本実施の形態では、平行壁61の外面からけらば線35までの距離が、外開き戸71の幅よりも大きくなるように、１階部分の東側のログ妻側外壁21の外面から室内側へ、平行壁61の外面が引き込まれている。
【００５９】
（作用・効果）
以上説明したように、本実施の形態では、ログ外壁20の所定位置に出入用開口部40を設け、また、出入用開口部40よりも室内側であって出入用開口部40に連通する位置に引込部50を設け、さらに、引込部50と室内とを仕切る引込外壁60を設け、そして、引込外壁60の所定位置に出入用建具70を設けており、ログハウス10において、いわゆる「引き込み玄関」を、比較的容易に実現している。
また、本実施の形態では、ログハウス10において引き込み玄関を実現することで、玄関ポーチ84および玄関ステップ85の一部または全部を、ログ外壁20よりも室内側に位置させるようにしている。そうすると、玄関ポーチ84および玄関ステップ85のログ外壁20よりも室外側への飛び出しを少なくすることができ、これにより、本実施の形態に係るログハウス10は、第１および第２の実施の形態に係るログハウス10と比較して室内を狭くすることなく、また、ログハウス10全体を西側へ移動させて東側の境界線との距離を広げることもなく、東側のログ妻側外壁21に玄関ポーチ84および玄関ステップ85を設けることが可能となっている。つまり、限られた敷地に目一杯にログハウス10を建てることができており、限られた敷地を目一杯有効に活用できている。
【００６０】
また、本実施の形態では、ログハウス10において引き込み玄関を実現することで、屋根30のけらば34を延ばすことなく、出入用建具70よりも室外側に、雨に濡れないようにするためのポーチ部分を確保している。
また、本実施の形態では、ログハウス10において引き込み玄関を実現することで、室内または室外にアルコーブ部分が形成されるので、そこを靴箱などの収納を設けるためのスペースとすることができる。
また、本実施の形態では、「Ａ＋Ｂ＞Ｗ」を満たすようにしてあることで、外開き戸71を全開にした際においても、外開き戸71の先端が軒先線33よりも室内側に位置することから、外開き戸71が雨に濡れにくいので、外開き戸71が劣化しにくいのである。
【００６１】
さらに、ログハウス10において引き込み玄関を実現することで、出入用開口部40を設ける位置を、第１および第２の実施の形態に示すように、ログ桁側外壁22としたり、また、第３の実施の形態に示すように、ログ妻側外壁21としたりするなど、容易に変更できる。つまり、ログハウス10において引き込み玄関を実現することで、出入用建具70の設置位置選択の自由度が高められ、顧客の多様なニーズに応えることができるのである。
（変形例）
なお、上記各実施形態では、引込外壁60は、軸組み材や面材を用いて形成されているとしたが、軸組み材や面材を用いて形成するのではなく、丸太材等を水平に積み上げることによって形成してもよい。すなわち、引込外壁60は、丸太組構法によって形成してもよい。
【００６２】
また、上記各実施形態では、出入用建具70は、外開き戸71としたが、外開き戸71に限られるものではなく、例えば、内開き戸や引き戸などとしてもよい。また、出入用建具70は、平行壁61ではなく、例えば、第１袖壁62や第２袖壁63に設けてもよい。
また、第１袖壁62および第２袖壁63とログ外壁20との納まりを袖壁勝ちにすれば、すなわち、ログ外壁20の端面が第１袖壁62および第２袖壁63の内面に当接するようにすれば、ログ外壁20の端面を両袖壁62,63で覆うことができ、丸太あるいは角材の端部を保護することができる。
一方、第１袖壁62および第２袖壁63とログ外壁20との納まりをログ外壁20勝ちにすれば、第１袖壁62および第２袖壁63の端面がログ外壁20の内面に当接するようにすれば、袖壁端部の雨仕舞いを容易に行うことができる。
【図面の簡単な説明】
【００６３】
【図１】本発明の第１の実施の形態に係るログハウスの１階の平面図。
【図２】本発明の第１の実施の形態に係るログハウスの妻側の立面図および断面図であって、立面を破線で、断面と全開状態の外開き戸とを実線で、それぞれ表わしたもの。
【図３】本発明の第１の実施の形態に係るログハウスの桁側の立面図。
【図４】本発明の第２の実施の形態に係るログハウスの１階の平面図。
【図５】本発明の第２の実施の形態に係るログハウスの桁側の立面図。
【図６】本発明の第３の実施の形態に係るログハウスの１階の平面図。
【図７】本発明の第３の実施の形態に係るログハウスの妻側の立面図。
【図８】従来のログハウスの１階の平面図。
【図９】従来のログハウスの桁側の立面図。
【図１０】従来のログハウスの桁側の立面図。
【図１１】従来のログハウスの妻側の立面図および断面図であって、立面を破線で、断面と全開状態の外開き戸とを実線で、それぞれ表わしたもの。
【符号の説明】
【００６４】
10  ログハウス                        20  ログ外壁
21  ログ妻側外壁                      22  ログ桁側外壁
23  矢切壁
30  屋根                              31  棟
32  軒先                              33  軒先線
34  けらば                            35  けらば線
40  出入用開口部                      45  窓用開口部
50  引込部                            60  引込外壁
61  平行壁                            62  第１袖壁
63  第２袖壁                          70  出入用建具
71  外開き戸                          75  引き違い窓
76  外開き窓                          80  デッキ
85  玄関ステップ                      90  駐車スペース
95  敷地の境界線
Ａ  軒先線とログ桁側外壁の外面との間の距離
Ｂ  ログ桁側外壁の外面と平行壁の外面との間の距離
Ｃ  けらば線とログ妻側外壁の外面との間の距離
Ｄ  ログ妻側外壁の外面と平行壁の外面との間の距離
Ｗ  外開き戸の幅
【図１】
2008291518.tif 000003
【図２】
2008291518.tif 000004
【図３】
2008291518.tif 000005
【図４】
2008291518.tif 000006
【図５】
2008291518.tif 000007
【図６】
2008291518.tif 000008
【図７】
2008291518.tif 000009
【図８】
2008291518.tif 000010
【図９】
2008291518.tif 000011
【図１０】
2008291518.tif 000012
【図１１】
2008291518.tif 000013